(57)【要約】【課題】スイッチングによる電力損失を低減する。【解決手段】入力電圧から所望レベルの出力電圧を生成するスイッチング電源装置におけるスイッチングを制御するスイッチング制御回路であって、所定周波数で変化する駆動信号を生成する駆動信号生成回路と、出力電圧を生成すべく、第１トランジスタ又は第１トランジスタよりスイッチングロスの小さい第２トランジスタを駆動信号生成回路から出力される駆動信号に応じてオンオフさせる駆動回路と、を備え、駆動回路は、出力電圧が印加される装置の消費電流を示す信号に基づいて、消費電流が所定レベルより多い場合は、第１トランジスタをオンオフさせ、消費電流が所定レベルより少ない場合は、第２トランジスタをオンオフさせる。【選択図】図１
2008206274.tif 000002
【特許請求の範囲】
【請求項１】
入力電圧から所望レベルの出力電圧を生成するスイッチング電源装置におけるスイッチングを制御するスイッチング制御回路であって、
所定周波数で変化する駆動信号を生成する駆動信号生成回路と、
前記出力電圧を生成すべく、第１トランジスタ又は前記第１トランジスタよりスイッチングロスの小さい第２トランジスタを前記駆動信号生成回路から出力される前記駆動信号に応じてオンオフさせる駆動回路と、
を備え、
前記駆動回路は、
前記出力電圧が印加される装置の消費電流を示す信号に基づいて、前記消費電流が所定レベルより多い場合は、前記第１トランジスタをオンオフさせ、前記消費電流が所定レベルより少ない場合は、前記第２トランジスタをオンオフさせること、
を特徴とするスイッチング制御回路。
【請求項２】
請求項１に記載のスイッチング制御回路であって、
前記駆動回路は、
前記駆動信号に応じて前記第１トランジスタをオンオフさせる第１駆動回路と、
前記第１駆動回路より出力電流量が少なく、前記駆動信号に応じて前記第２トランジスタをオンオフさせる第２駆動回路と、
を含んで構成され、
前記消費電流が所定レベルより多い場合は、前記第１駆動回路を動作させることにより前記第１トランジスタをオンオフさせ、
前記消費電流が所定レベルより少ない場合は、前記第２駆動回路を動作させることにより前記第２トランジスタをオンオフさせること、
を特徴とするスイッチング制御回路。
【請求項３】
請求項１又は２に記載のスイッチング制御回路であって、
前記第２トランジスタの電流量を検出することにより、前記第１トランジスタの電流量を検出する電流検出回路を更に備え、
前記駆動回路は、
前記消費電流が所定レベルより多い場合は、前記第１トランジスタとともに前記第２トランジスタをオンオフさせること、
を特徴とするスイッチング制御回路。
【請求項４】
請求項１〜３のいずれかに記載のスイッチング制御回路であって、
前記第１及び第２トランジスタは、同一の基板上に生成された複数のトランジスタのセルを用いて構成されており、
前記第１トランジスタを構成する前記セルの数より前記第２トランジスタを構成する前記セルの数の方が少ないこと、
を特徴とするスイッチング制御回路。
【請求項５】
入力電圧から所望レベルの出力電圧を生成するスイッチング電源装置であって、
第１トランジスタと、
前記第１トランジスタよりスイッチングロスの小さい第２トランジスタと、
所定周波数で変化する駆動信号を生成する駆動信号生成回路と、
前記出力電圧を生成すべく、第１又は第２トランジスタを前記駆動信号生成回路から出力される前記駆動信号に応じてオンオフさせる駆動回路と、
を備え、
前記駆動回路は、
前記出力電圧が印加される装置の消費電流を示す信号に基づいて、前記消費電流が所定レベルより多い場合は、前記第１トランジスタをオンオフさせ、前記消費電流が所定レベルより少ない場合は、前記第２トランジスタをオンオフさせる駆動回路と、
を備えることを特徴とするスイッチング電源回路。
【発明の詳細な説明】
【技術分野】
【０００１】
本発明は、スイッチング制御回路及びスイッチング電源回路に関する。
【背景技術】
【０００２】
様々な電子機器に対する所望の駆動電圧を生成するために、スイッチング電源装置が用いられている。図２は、トランスを用いたスイッチング電源装置の一般的な構成例を示す図である。スイッチング電源装置は、トランス１００、パワーＭＯＳＦＥＴ１０１、制御回路１０２、電圧検出回路１０３、フォトカプラ１０４、ダイオード１０５，１０６、抵抗Ｒ１、及びキャパシタＣ１，Ｃ２を含んで構成されている。
【０００３】
端子ＤＣINには、例えば交流電圧を整流して生成された直流電圧が印加される。この直流電圧は、トランス１００の一次コイルＬ１の一端に印加されるとともに、抵抗Ｒ１の一端に印加されている。抵抗Ｒ１の他端は、制御回路１０２の端子ＶＣＣに接続されるとともに、キャパシタＣ１の一端に接続されている。スイッチング電源装置の起動時には、端子ＤＣINに印加された直流電圧によって抵抗Ｒ１を介して端子ＶＣＣ及びキャパシタＣ１に例えば１ｍＡ程度の起動電流が流れ込む。そして、制御回路１０２は、起動電流によってキャパシタＣ１に充電された電圧を駆動源として、所定周波数のパルス信号に基づいてパワーＭＯＳＦＥＴ１０１のスイッチング制御を開始する。
【０００４】
パワーＭＯＳＦＥＴ１０１のスイッチング制御により、トランス１００の一次コイルＬ１に電流が発生し、この電流の変化に伴ってトランス１００の二次コイルＬ２に発生する電流がダイオード１０５で整流されてキャパシタＣ２が充電される。同様に、トランス１００の三次コイルＬ３に発生する電流がダイオード１０６で整流されてキャパシタＣ１が充電され、制御回路１０２を駆動するための電圧が安定的に確保される。
【０００５】
キャパシタＣ２が充電されて生成される電圧は、端子ＤＣOUTから出力電圧として出力される。電圧検出回路１０３は、この出力電圧を検出し、検出した出力電圧が所望レベルより高くなるとフォトカプラ１０４のフォトダイオード１０４ａに電流を流して発光させる。そして、フォトダイオード１０４ａが発光することにより、フォトカプラ１０４のフォトトランジスタ１０４ｂが導通し、制御回路１０２の端子ＦＢには接地電圧が印加される。制御回路１０２は、端子ＦＢの電位が接地レベルになったことを検出するとパワーＭＯＳＦＥＴ１０１をオフとする。つまり、端子ＤＣOUTから出力される出力電圧の電圧レベルに応じてパワーＭＯＳＦＥＴ１０１を制御するパルス信号のオンデューティーが制御されることにより、所望レベルの出力電圧が出力されることとなる。
【０００６】
また、制御回路１０２の端子ＳＴＢには、出力電圧が印加される装置が消費電流の少ない動作モード（スタンバイモード）となった際に、例えばＨレベルの信号が入力される。そして、制御回路１０２は、端子ＳＴＢにＨレベルの信号が入力されると、パワーＭＯＳＦＥＴ１０１を制御するパルス信号のオンデューティーを小さくすることにより、消費電流を抑制する。
【特許文献１】特開２００５−２０４３９３号公報
【発明の開示】
【発明が解決しようとする課題】
【０００７】
このように、スタンバイモードとなった際には、オンデューティーが小さくなることによってパワーＭＯＳＦＥＴ１０１の出力が抑えられることとなるが、パワーＭＯＳＦＥＴ１０１のスイッチング回数は同じであるため、スイッチングにより生じる電力損失（スイッチングロス）はスタンバイモードでない場合と変わらない。そのため、スタンバイモードの際には、出力に対するスイッチングロスの割合が高くなり、効率が悪くなってしまう。
【０００８】
本発明は上記課題を鑑みてなされたものであり、スイッチングによる電力損失を低減可能なスイッチング制御回路及びスイッチング電源回路を提供することを目的とする。
【課題を解決するための手段】
【０００９】
上記目的を達成するため、本発明のスイッチング制御回路は、入力電圧から所望レベルの出力電圧を生成するスイッチング電源装置におけるスイッチングを制御するスイッチング制御回路であって、所定周波数で変化する駆動信号を生成する駆動信号生成回路と、前記出力電圧を生成すべく、第１トランジスタ又は前記第１トランジスタよりスイッチングロスの小さい第２トランジスタを前記駆動信号生成回路から出力される前記駆動信号に応じてオンオフさせる駆動回路と、を備え、前記駆動回路は、前記出力電圧が印加される装置の消費電流を示す信号に基づいて、前記消費電流が所定レベルより多い場合は、前記第１トランジスタをオンオフさせ、前記消費電流が所定レベルより少ない場合は、前記第２トランジスタをオンオフさせることとする。
【００１０】
また、本発明のスイッチング電源装置は、入力電圧から所望レベルの出力電圧を生成するスイッチング電源装置であって、第１トランジスタと、前記第１トランジスタよりスイッチングロスの小さい第２トランジスタと、所定周波数で変化する駆動信号を生成する駆動信号生成回路と、前記出力電圧を生成すべく、第１又は第２トランジスタを前記駆動信号生成回路から出力される前記駆動信号に応じてオンオフさせる駆動回路と、を備え、前記駆動回路は、前記出力電圧が印加される装置の消費電流を示す信号に基づいて、前記消費電流が所定レベルより多い場合は、前記第１トランジスタをオンオフさせ、前記消費電流が所定レベルより少ない場合は、前記第２トランジスタをオンオフさせる駆動回路と、を備えることとする。
【発明の効果】
【００１１】
スイッチングによる電力損失を低減可能なスイッチング制御回路及びスイッチング電源回路を提供することができる。
【発明を実施するための最良の形態】
【００１２】
＝＝回路構成＝＝
図１は、本発明の一実施形態であるスイッチング電源装置の構成例を示す図である。スイッチング電源装置は、トランス１０、制御回路１１、ＮチャネルＭＯＳＦＥＴ１２，１３、スイッチ回路１４、電圧検出回路１５、フォトカプラ１６、ダイオード１７，１８、抵抗Ｒ１，Ｒ２、及びキャパシタＣ１，Ｃ２を含んで構成されている。
【００１３】
トランス１０は、一次コイルＬ１、二次コイルＬ２及び三次コイルＬ３を備えており、一次コイルＬ１及び三次コイルＬ３と、二次コイルＬ２との間は絶縁されている。トランス１０においては、一次コイルＬ１に流れる電流の変化に応じて、二次コイルＬ２及び三次コイルＬ３に電流が発生する。一次コイルＬ１は、一端に端子ＤＣINを介して直流の入力電圧が印加され、他端がＮチャネルＭＯＳＦＥＴ１２，１３のドレインと接続されている。この入力電圧は、例えば商用の交流電圧を整流して得られた電圧である。二次コイルＬ２は、一端がダイオード１７を介してキャパシタＣ２の一端と接続され、他端がキャパシタＣ２の他端と接続されている。三次コイルＬ３は、一端がダイオード１８を介してキャパシタＣ１の一端と接続され、他端が接地されている。
【００１４】
制御回路１１は、ＮチャネルＭＯＳＦＥＴ１２，１３のオンオフを制御する集積回路である。制御回路１１は、駆動信号生成回路３１、メインドライバ３２、スタンバイドライバ３３、スイッチ回路３４，３５、及び電流検出回路３６を含んで構成されている。なお、メインドライバ３２、スタンバイドライバ３３、及びスイッチ回路３４，３５が本発明の駆動回路に相当する。
【００１５】
駆動信号生成回路３１は、ＮチャネルＭＯＳＦＥＴ１２，１３を例えばＰＷＭ（Pulse Width Modulation）制御するためのパルス信号（駆動信号）を生成して出力する。駆動信号生成回路３１は、端子ＦＢから帰還入力される信号に基づいてパルス信号におけるパルス幅を調整することによりＮチャネルＭＯＳＦＥＴ１２，１３のオンデューティーを制御する。また、駆動信号生成回路３１は、電流検出回路３６が過電流を検出した場合は、ＮチャネルＭＯＳＦＥＴ１２，１３をオフさせるようにパルス信号を変化させる。また、駆動信号生成回路３１は、端子ＤＣOUTから出力される出力電圧を用いるパーソナルコンピュータ等の装置が消費電流の少ない動作状態（スタンバイモード）であることを示す信号（例えばＨレベルの信号）が端子ＳＴＢを介してマイコン２０等から入力されると、出力電圧の上昇を抑えるとともにスイッチング電源装置での消費電流を少なくするため、オンデューティーを小さくする。
【００１６】
メインドライバ３２（第１駆動回路）は、例えば直列に接続された複数のＣＭＯＳインバータにより構成され、駆動信号生成回路３１から出力されるパルス信号の電流を増幅し、ＮチャネルＭＯＳＦＥＴ１２，１３を駆動するための信号として出力する。なお、メインドライバ３２は、端子ＳＴＢから入力される信号がスタンバイモードでない（通常モードである）ことを示している場合にのみ動作する。
【００１７】
スタンバイドライバ３３（第２駆動回路）は、例えば直列に接続された複数のＣＭＯＳインバータにより構成され、駆動信号生成回路３１から出力されるパルス信号の電流を増幅し、ＮチャネルＭＯＳＦＥＴ１３を駆動するための信号として出力する。なお、スタンバイドライバ３３を構成するＣＭＯＳインバータの数はメインドライバ３２を構成するＣＭＯＳインバータの数より少なく、スタンバイドライバ３３の出力電流量はメインドライバ３２の出力電流量よりも少ないこととする。また、スタンバイドライバ３３は、端子ＳＴＢから入力される信号がスタンバイモードであることを示している場合にのみ動作する。
【００１８】
スイッチ回路３４は、端子ＳＴＢから入力される信号が通常モードであることを示す場合、メインドライバ３２から出力される信号を、端子Ｍを介してＮチャネルＭＯＳＦＥＴ１２のゲートに出力する。なお、端子ＳＴＢから入力される信号がスタンバイモードであることを示す場合、スイッチ回路３４はオフとなり、ＮチャネルＭＯＳＦＥＴ１２のゲートにはパルス信号が出力されない。
【００１９】
スイッチ回路３５は、端子ＳＴＢから入力される信号が通常モードであることを示す場合、メインドライバ３２から出力される信号を、端子Ｓを介してＮチャネルＭＯＳＦＥＴ１３のゲートに出力し、スタンバイモードであることを示す場合、スタンバイドライバ３３から出力される信号を、端子Ｓを介してＮチャネルＭＯＳＦＥＴ１３のゲートに出力する。
【００２０】
電流検出回路３６は、端子ＲＦに印加される電圧レベルが所定レベルを超えると、ＮチャネルＭＯＳＦＥＴ１２に過電流が流れていると判定し、駆動信号生成回路３１に対してＮチャネルＭＯＳＦＥＴ１２をオフさせるための信号を出力する。
【００２１】
ＮチャネルＭＯＳＦＥＴ１２（第１トランジスタ）は、ドレインが一次コイルＬ１の他端と接続され、ソースが接地され、ゲートには制御回路１１の端子Ｍから出力される信号が入力されている。  
ＮチャネルＭＯＳＦＥＴ１３（第２トランジスタ）は、ドレインが一次コイルＬ１の他端と接続され、ソースが抵抗Ｒ１の一端及びスイッチ回路１４と接続されている。また、抵抗Ｒ１の他端は接地されている。
【００２２】
ＮチャネルＭＯＳＦＥＴ１２，１３は、例えば同一のシリコン基板上に生成された複数のＮチャネルＭＯＳＦＥＴのセルを用いて構成されている。ＮチャネルＭＯＳＦＥＴ１２は主に一次コイルＬ１の導電を制御するために用いられるものであり、ＮチャネルＭＯＳＦＥＴ１３は主にＮチャネルＭＯＳＦＥＴ１２に流れる電流量を検出するために用いられるものである。そのため、ＮチャネルＭＯＳＦＥＴ１２を構成するセルの数はＮチャネルＭＯＳＦＥＴ１３を構成するセルの数より多くなっている。例えば、ＮチャネルＭＯＳＦＥＴ１２を構成するセルの数とＮチャネルＭＯＳＦＥＴ１３を構成するセルの数との比を１０：１とすると、ＮチャネルＭＯＳＦＥＴ１３を流れる電流の１０倍の電流がＮチャネルＭＯＳＦＥＴ１２を流れることとなる。
【００２３】
スイッチ回路１４は、マイコン２０から出力される信号が通常モードであることを示す場合オフとなる。この場合、ＮチャネルＭＯＳＦＥＴ１３のソースから出力される電流は抵抗Ｒ１を流れることとなり、制御回路１１の端子ＲＦにはＮチャネルＭＯＳＦＥＴ１３を流れる電流に応じた電圧が印加されることとなる。また、スイッチ回路１４は、マイコン２０から出力される信号がスタンバイモードであることを示す場合オンとなる。この場合、ＮチャネルＭＯＳＦＥＴ１３のソースは接地され、制御回路１１の端子ＲＦに印加される電圧も接地レベルとなる。
【００２４】
電圧検出回路１５は、キャパシタＣ２の両端間の電圧、すなわち出力電圧の電圧レベルを検出し、出力電圧の電圧レベルが所望レベルを超えるとフォトカプラ１６のフォトダイオード１６ａに電流を流して発光させる。
【００２５】
フォトカプラ１６は、フォトダイオード１６ａ及びフォトトランジスタ１６ｂにより構成されており、フォトダイオード１６ａが発光することによりフォトトランジスタ１６ｂが導通する。フォトトランジスタ１６ｂは、コレクタが制御回路１１の端子ＦＢと接続され、エミッタが接地されている。したがって、フォトダイオード１６ａが発光してフォトトランジスタ１６ｂが導通すると、制御回路１１の端子ＦＢに接地電圧が印加されることとなる。
【００２６】
ダイオード１７は、アノードが二次コイルＬ２の一端と接続され、カソードがキャパシタＣ２の一端と接続されている。つまり、二次コイルＬ２において発生する電流はダイオード１７により整流されてキャパシタＣ２に蓄積されることとなる。  
ダイオード１８は、アノードが三次コイルＬ３の一端と接続され、カソードがキャパシタＣ１の一端と接続されている。つまり、三次コイルＬ３において発生する電流はダイオード１８により整流されてキャパシタＣ１に蓄積されることとなる。
【００２７】
抵抗Ｒ２は、一端に端子ＤＣINを介して入力電圧が印加され、他端が制御回路１１の端子ＶＣＣと接続されるとともにキャパシタＣ１の一端と接続されている。この抵抗Ｒ２は、スイッチング電源装置の起動時に制御回路１１に対して例えば１ｍＡ程度の起動電流を供給するためのものである。
【００２８】
＝＝通常モードの動作＝＝
図１に例示したスイッチング電源装置の動作について説明する。まず、マイコン２０から出力される信号が通常モードである状態において、スイッチング電源装置が起動されることとする。スイッチング電源装置が起動されると、抵抗Ｒ２を介して起動電流が制御回路１１の端子ＶＣＣに向かって流れ出し、制御回路１１が動作を開始する。制御回路１１の駆動信号生成回路３１は、例えばＨレベルの割合（オンデューティー）が５０％の所定周波数のパルス信号の出力を開始する。そして、端子ＳＴＢを介して入力される信号が通常モードであることを示しているため、駆動信号生成回路３１から出力されるパルス信号は、メインドライバ３２及びスイッチ回路３４，３５を介してＮチャネルＭＯＳＦＥＴ１２，１３のゲートに入力される。したがって、ＮチャネルＭＯＳＦＥＴ１２，１３がメインドライバ３２から出力されるパルス信号に応じてオンオフされ、一次コイルＬ１を流れる電流に変化が生じる。そして、一次コイルＬ１の電流変化に応じて二次コイルＬ２に発生する電流がダイオード１７で整流され、キャパシタＣ２が充電されて出力電圧が上昇する。また、一次コイルＬ１の電流変化に応じて三次コイルＬ３に発生する電流がダイオード１８で整流され、キャパシタＣ１が充電され、制御回路１１の駆動電圧となる。
【００２９】
キャパシタＣ２が充電されて出力電圧が所望レベル（例えば５．０Ｖ）を超えると、電圧検出回路１５は、フォトダイオード１６ａに電流を流して発光させる。そして、フォトダイオード１６ａから発せれられた光によってフォトトランジスタ１６ｂがオンとなり、制御回路１１の端子ＦＢに接地電圧が印加される。制御回路１１の駆動信号生成回路３１は、端子ＦＢに印加される電圧が接地レベルになると、パルス信号をＬレベルに変化させる。パルス信号がＬレベルに変化すると、ＮチャネルＭＯＳＦＥＴ１２，１３がオフとなり、出力電圧が下降することとなる。そして、駆動信号生成回路３１はパルス信号の周波数に応じた所定のタイミングでパルス信号をＨレベルに変化させる。つまり、フォトカプラ１６を用いた帰還制御によりパルス信号のデューティーが調整され、出力電圧が所望レベルとなるように制御される。
【００３０】
また、通常モードの場合、ＮチャネルＭＯＳＦＥＴ１２と同期してＮチャネルＭＯＳＦＥＴ１３もオンオフされ、スイッチ回路１４がオフとなっているため、ＮチャネルＭＯＳＦＥＴ１３を流れる電流に応じた電圧が制御回路１１の端子ＲＦに印加される。制御回路１１の電流検出回路３６は、端子ＲＦに印加される電圧に基づいて、ＮチャネルＭＯＳＦＥＴ１２を流れる電流が過電流となっていないかどうかを判定し、判定結果を示す信号を駆動信号生成回路３１に出力する。駆動信号生成回路３１は、ＮチャネルＭＯＳＦＥＴ１２を流れる電流が過電流となっていることを示す信号が電流検出回路３６から入力されると、パルス信号の出力を停止することにより、ＮチャネルＭＯＳＦＥＴ１２，１３をオフとする。
【００３１】
＝＝スタンバイモードの動作＝＝
その後、端子ＤＣOUTから出力される出力電圧が印加される装置が消費電流の少ない状態に移行し、マイコン２０から出力される信号がスタンバイモードであることを示す信号に変化すると、駆動信号生成回路３１は、出力するパルス信号におけるＨレベルの割合（オンデューティー）を例えば数％程度に小さくする。また、マイコン２０から出力される信号がスタンバイモードであることを示す信号に変化すると、メインドライバ３２が停止する一方、スタンバイドライバ３３が動作を開始する。そして、駆動信号生成回路３１から出力されるパルス信号は、スタンバイドライバ３３及びスイッチ回路３５を介してＮチャネルＭＯＳＦＥＴ１３のゲートに入力され、パルス信号に応じてＮチャネルＭＯＳＦＥＴ１３がオンオフする。なお、スタンバイモードの場合、オンデューティーが小さく、一次コイルＬ１を流れる電流量が少なくなるため、ＮチャネルＭＯＳＦＥＴ１３は、ＮチャネルＭＯＳＦＥＴ１２よりも少ないセルの数で構成され、これによりＮチャネルＭＯＳＦＥＴ１３は、ＮチャネルＭＯＳＦＥＴ１２よりスイッチングロスが小さくなる。そのため、スタンバイモードの際に一次コイルＬ１の導電を制御するトランジスタをＮチャネルＭＯＳＦＥＴ１２からＮチャネルＭＯＳＦＥＴ１３に切り替えることにより、スイッチングによる電力損失を低減させることが可能となる。
【００３２】
以上、本発明の一実施形態について説明した。前述したように、スタンバイモードの場合にはＮチャネルＭＯＳＦＥＴ１２よりもセルの数が少ないＮチャネルＭＯＳＦＥＴ１３をオンオフさせることにより、スイッチングロスを小さくして電力損失を低減させることが可能となる。
【００３３】
さらに、スタンバイモードの場合には、メインドライバ３２からメインドライバ３３に切り替えることにより、スイッチング電源装置での消費電流を抑制することが可能となる。
【００３４】
また、通常モード時における電流検出用のＮチャネルＭＯＳＦＥＴ１３をスタンバイ時のスイッチング用トランジスタとして用いることにより、スタンバイモード時のスイッチング専用にトランジスタを設ける必要がなく、回路規模の増大を抑制することが可能となる。
【００３５】
なお、上記実施例は本発明の理解を容易にするためのものであり、本発明を限定して解釈するためのものではない。本発明は、その趣旨を逸脱することなく、変更、改良され得ると共に、本発明にはその等価物も含まれる。
【００３６】
例えば、上記実施例では、ＮチャネルＭＯＳＦＥＴ１２，１３は、同一のシリコン基板上に生成された複数のＮチャネルＭＯＳＦＥＴのセルを用いて構成され、必要とされる電流量に応じてセルの数が分配されていた。しかしながら、本発明はこれに限定されず、例えば、ＮチャネルＭＯＳＦＥＴ１２，１３がそれぞれ異なるサイズとなるように構成されてもよい。この場合、ＮチャネルＭＯＳＦＥＴ１２は、ＮチャネルＭＯＳＦＥＴ１３よりもサイズが大きくなるように構成される。
【図面の簡単な説明】
【００３７】
【図１】本発明の一実施形態であるスイッチング電源装置の構成例を示す図である。
【図２】トランスを用いたスイッチング電源装置の一般的な構成例を示す図である。
【符号の説明】
【００３８】
１０  トランス
１１  制御回路
１２，１３  ＮチャネルＭＯＳＦＥＴ
１４，３４，３５  スイッチ回路
１５  電圧検出回路
１６  フォトカプラ
１６ａ  フォトダイオード
１６ｂ  フォトトランジスタ
１７，１８  ダイオード
３１  駆動信号生成回路
３２  メインドライバ
３３  スタンバイドライバ
Ｌ１  一次コイル
Ｌ２  二次コイル
Ｌ３  三次コイル
Ｃ１，Ｃ２  キャパシタ
Ｒ１，Ｒ２  抵抗
【図１】
2008206274.tif 000003
【図２】
2008206274.tif 000004